(57)【要約】【課題】  透明体以外の多層成形体に対しても適用可能であり、部分的な積層不良も検出可能な構成として酸素バリア層の有無を検出する多層成形体検査装置を提供する。【解決手段】  多層成形体１０の酸素バリア層１０ｂの有無を検査する多層成形体検査装置１において、光を多層成形体１０に照射する発光手段２と、多層成形体１０から透過された光を受光する受光手段３と、受光手段３が受光した光が所定の波数の光に以下の条件式（１）を満足する光が含まれていると判別した場合、多層成形体１０に酸素バリア層１０ｂがないと判断し、以下の条件式（１）を満足する光が含まれていないと判別した場合、多層成形体１０に酸素バリア層１０ｂがあると判断する判別手段５と、を備えたことを特徴とする。    ３１００ｃｍ-1＜Ｌ＜３５５０ｃｍ-1              ・・・（１）ただし、Ｌは判別手段５が判別する光の波数である。【選択図】図１
2010032374.tif 000002
【特許請求の範囲】
【請求項１】
多層成形体の酸素バリア層の有無を検査する多層成形体検査装置において、
光を前記多層成形体に照射する発光手段と、
前記多層成形体から透過された光を受光する受光手段と、
前記受光手段が受光した光に以下の条件式（１）を満足する光が含まれていると判別した場合、多層成形体に酸素バリア層がないと判別し、以下の条件式（１）を満足する光が含まれていないと判別した場合、多層成形体に酸素バリア層があると判別する判別手段と、
を備えた
ことを特徴とする多層成形体検査装置。
３１００ｃｍ-1＜Ｌ＜３５５０ｃｍ-1              ・・・（１）
ただし、Ｌは判別手段が判別する光の波数である。
【請求項２】
前記受光手段は、所定の波長帯域のみ選択して受光するバンドパスフィルタを有する
ことを特徴とする請求項１に記載の多層成形体検査装置。
【請求項３】
前記判別手段が多層成形体に酸素バリア層がないと判断した場合、警報を発信する警報手段を有することを特徴とする請求項１又は請求項２に記載の多層成形体検査装置。
【発明の詳細な説明】
【技術分野】
【０００１】
本発明は、多層成形体に対して酸化防止のための酸素バリア層の有無を検査する多層成形体検査装置に関するものである。
【背景技術】
【０００２】
従来から、酸素や水蒸気の透過を防止するために、中間層としてナイロン樹脂をベースとしたバリア層が設けられた多層透明体がある。この多層透明体のバリア層の有無を検査する装置として、多層透明体に光源から光を照射し、その光によって生じる乱反射の状態をカメラで撮像し、検査する装置がある（特許文献１）。
【特許文献１】特開２００７−２５６０７６号公報
【発明の開示】
【発明が解決しようとする課題】
【０００３】
しかしながら、上記従来の多層成形体検査装置は、検査対象が透明体でなければならなかった。また、部分的な積層不良等を検出することが困難であった。
【０００４】
本発明は従来技術のこのような問題点に鑑みてなされたものであり、その目的は、透明体以外の多層成形体に対しても適用可能であり、部分的な積層不良も検出可能な構成として酸素バリア層の有無を検出する多層成形体検査装置を提供することである。
【課題を解決するための手段】
【０００５】
上記目的を達成する本発明の多層成形体検査装置は、多層成形体の酸素バリア層の有無を検査する多層成形体検査装置において、光を前記多層成形体に照射する発光手段と、前記多層成形体から透過された光を受光する受光手段と、前記受光手段が受光した光に以下の条件式（１）を満足する光が含まれていると判別した場合、多層成形体に酸素バリア層がないと判別し、以下の条件式（１）を満足する光が含まれていないと判別した場合、多層成形体に酸素バリア層があると判別する判別手段と、を備えたことを特徴とする。
３１００ｃｍ-1＜Ｌ＜３５５０ｃｍ-1              ・・・（１）
ただし、Ｌは判別手段が判別する光の波数である。
【０００６】
また、前記受光手段は、所定の波長帯域のみ選択して受光するバンドパスフィルタを有することを特徴とする。
【０００７】
また、前記判別手段が多層成形体に酸素バリア層がないと判断した場合、警報を発信する警報手段を有することを特徴とする。
【発明の効果】
【０００８】
本発明の多層成形体検査装置によれば、透明体以外の多層成形体に対しても適用可能であり、部分的な積層不良も検出可能な構成として酸素バリア層の有無を検出することができる。
【発明を実施するための最良の形態】
【０００９】
以下、図面を参照にして本実施形態の多層成形体検査装置を説明する。
【００１０】
図１は、多層成形体検査装置１を示す図である。図中、１は多層成形体検査装置、２は発光手段、３は受光手段としてのフォトダイオード、５は判別手段、６は警報手段、１０は多層成形体としての多層カップである。
【００１１】
多層成形体検査装置１は、多層カップ１０の酸素バリア層の有無を検査するものであって、所定の波数帯域幅をもつ光を多層カップ１０に照射する発光手段２と、多層カップ１０から透過された光を受光するフォトダイオード３と、を備えている。
【００１２】
また、多層成形体検査装置１は、フォトダイオード３が光を受光した場合、多層カップ１０に酸素バリア層がないと判断する判別手段５を有し、判別手段５が多層カップ１０に酸素バリア層がないと判断した場合、ランプを点灯したり、警報音を発信する警報手段６を有する。
【００１３】
発光手段２は、赤外線を発光する赤外光源２ａからなる。フォトダイオード３は、赤外光源２ａの発光する光のうち約２９５０ｎｍ〜３０５０ｎｍの波長帯域のみ選択して受光させるバンドパスフィルタ３ａを有する。なお、発光手段２側にバンドパスフィルタを備えてもよい。
【００１４】
図２は、検査対象となる多層カップ１０を示す図である。図２（ａ）は多層カップ１０の斜視図、図２（ｂ）は多層カップ１０の一部の断面図である。多層カップ１０は、図に示すように、ＰＰ（ポリプロピレン）からなる保護層１０ａの間に、酸化防止のための酸素バリア層１０ｂを有するものである。
【００１５】
酸素バリア層１０ｂは、ＥＶＯＨ（エチレン−ビニルアルコール共重合樹脂）又はＭＸＤ６等からなる。本実施形態では、ＥＶＯＨを適用する。
【００１６】
ＥＶＯＨは、エチレンと酢酸ビニル共重合物の加水分解により得られるものである。また、ＥＶＯＨは、ポリビニルアルコールの高ガスバリア性を有し、カップ等の酸素バリア材として用いられている。
【００１７】
図３は、ＥＶＯＨとＰＰの波数に対するスペクトルデータを示すグラフである。図３（ａ）はＥＶＯＨに対するグラフ、図３（ｂ）はＰＰに対するグラフである。図３から明らかなように、波数３２００〜３５５０ｃｍ-1の波長帯域において、図３（ａ）に示すＥＶＯＨでは、点線で示すように高い吸収率をもち、図３（ｂ）に示すＰＰでは、吸収率がほとんどない。
【００１８】
多層成形体検査装置１は、この性質を利用して、多層カップ１０にＥＶＯＨ等の酸素バリア層１０ｂが存在するか否かを検出するものである。その作用について説明する。
【００１９】
まず、多層成形体検査装置１の発光手段２とフォトダイオード３の間に、多層カップ１０を配置する。続いて、発光手段２が光を多層カップ１０に照射する。続いて、フォトダイオード３が多層カップ１０から透過された光のうちバンドパスフィルタ３ａにより、約２９５０ｎｍ〜３０５０ｎｍの波長帯域のみ選択して受光する。
【００２０】
判別手段５は、受光した光が、以下の条件式（１）を満足する光を含むか否かを判別し、以下の条件式（１）を満足する光が含まれていると判別した場合、多層カップ１０に酸素バリア層１０ｂがないと判断し、以下の条件式（１）を満足する光が含まれていないと判別した場合、多層カップ１０に酸素バリア層１０ｂがあると判断するものである。
３１００ｃｍ-1＜Ｌ＜３５５０ｃｍ-1              ・・・（１）
ただし、Ｌは判別手段５が判別する光の波数である。
【００２１】
また、判別手段５は、受光した光が、以下の条件式（２）を満足する光を含むか否かを判別するものであることがより好ましい。
３２００ｃｍ-1＜Ｌ＜３５００ｃｍ-1              ・・・（２）
ただし、Ｌは判別手段５が判別する光の波数である。
【００２２】
さらに、判別手段５が判別する光の波数Ｌは約３３４４ｃｍ-1であることがより好ましい。
【００２３】
図４は、フォトダイオード３の出力を示すグラフである。このグラフでは、非透明の白いＰＰの間にＥＶＯＨの層を有する多層カップ、透明のＰＰの間にＥＶＯＨの層を有する多層カップ、透明のＰＰの間にＭＸＤ６の層を有する多層カップ及びＰＰ単層のカップの場合の出力を示している。なお、このグラフでは、透過光を検出した場合に電圧が低くなるように表されている。また、横軸は実験回数、縦軸は電圧を示す。
【００２４】
まず、発光手段２とフォトダイオード３の間に何も配置しない状態での出力は、約６．２４２［Ｖ］であった。次に、発光手段２とフォトダイオード３の間に、非透明の白いＰＰの間にＥＶＯＨの層を有する多層カップ１０を配置した場合の出力は、紙面に対して最も左の上に凸の部分Ａであり、約６．２５７［Ｖ］であった。
【００２５】
次に、発光手段２とフォトダイオード３の間に、透明のＰＰの間にＥＶＯＨの層を有する多層カップ１０を配置した場合の出力は、紙面に対して左から２番目の上に凸の部分Ｂであり、約６．２５７［Ｖ］であった。次に、発光手段２とフォトダイオード３の間に、透明のＰＰの間にＭＸＤ６の層を有する多層カップ１０を配置した場合の出力は、紙面に対して左から３番目の上に凸の部分Ｃであり、約６．２５７［Ｖ］であった。
【００２６】
次に、透明ＰＰ単層のカップを配置した場合の出力は、紙面に対して最も右の上に凸の部分Ｄであり、約６．２５［Ｖ］であった。
【００２７】
図４に示すように、ＥＶＯＨ等の酸素バリア層を有する多層カップと、酸素バリアを有しないＰＰ単層カップとは、約６．２５３［Ｖ］付近を境として、出力電圧が明確に異なる。
【００２８】
したがって、多層成形体検査装置１により検査対象となるカップが酸素バリア層を有するか否かを容易に判別することができる。また、比較的に安価で容易に作成可能であり、メンテナンス性もよい。
【００２９】
さらに、多層成形体検査装置１又は多層カップ１０を移動可能とすることにより、カップ全体を走査するように構成すれば、全体的な不良も、部分的な積層不良も検出可能となり、好ましい。
【００３０】
図５は他の実施形態を示す図である。図６に示す実施形態では、受光手段として、フォトダイオード３に代えて、赤外カメラ４を適用したものである。赤外カメラ４を適用することにより、ＥＶＯＨ等の酸素バリア層の有無を視覚的に判断することが可能となる。
【００３１】
なお、本実施形態では、バンドパスフィルタ３ａを用いた方法について説明しているがバンドパスフィルタ３ａを用いずに全波長の光を照射し、受光手段３の出力信号にFFT（フーリエ変換）をかけて、所定の波長の有無により酸素バリア層の有無を判別する方法でも実施可能である。
【００３２】
以上、本発明の多層成形体検査装置を実施形態に基づいて説明してきたが、本発明はこれら実施形態に限定されず種々の変形が可能である。
【図面の簡単な説明】
【００３３】
【図１】多層成形体検査装置を示す図である。
【図２】検査対象となる多層カップを示す図である。
【図３】ＥＶＯＨとＰＰの波数に対するスペクトルデータを示すグラフである。
【図４】フォトダイオードの出力を示すグラフである。
【図５】他の実施形態を示す図である。
【符号の説明】
【００３４】
１…多層成形体検査装置
２…赤外光源（発光手段）
３…フォトダイオード（受光手段）
４…赤外カメラ（受光手段）
５…判別手段
６…警報手段
１０…多層カップ（多層成形体）
【図１】
2010032374.tif 000003
【図２】
2010032374.tif 000004
【図３】
2010032374.tif 000005
【図４】
2010032374.tif 000006
【図５】
2010032374.tif 000007